(57)【要約】【課題】低温環境における電力消費を抑えることが可能な電気泳動表示装置及び電子機器を提供する。【解決手段】本発明の電気泳動表示装置１００は、一対の基板間に電気泳動素子を挟持してなる電気泳動表示部と、温度センサー６５と、電気泳動表示部及び温度センサー６５を制御する制御部６３とを備えており、制御部６３は、温度センサー６５により検出される環境温度が予め設定された基準温度以下である期間に、電気泳動表示部を省電力モードで動作させるものである。【選択図】図４
2011013466.tif 000002
【特許請求の範囲】
【請求項１】
一対の基板間に電気泳動素子を挟持してなる電気泳動表示部と、温度測定部と、前記電気泳動表示部及び温度測定部を制御する制御部とを備えた電気泳動表示装置であって、
前記制御部は、前記温度測定部により検出される環境温度が予め設定された基準温度以下である期間に、前記電気泳動表示部を省電力モードで動作させることを特徴とする電気泳動表示装置。
【請求項２】
前記省電力モードにおいて、
前記制御部は、前記電気泳動表示部の少なくとも一部の表示の更新を停止させることを特徴とする請求項１に記載の電気泳動表示装置。
【請求項３】
前記省電力モードにおいて、
前記制御部は、前記電気泳動表示部の表示画像を消去させ、以降の表示の更新を停止させることを特徴とする請求項１に記載の電気泳動表示装置。
【請求項４】
外部からの操作入力に基づいて前記制御部に制御信号を出力する操作入力部を備えており、
前記省電力モードにおいて、
前記制御部は、前記制御信号が入力されている期間にのみ前記電気泳動表示部の表示を更新させることを特徴とする請求項１から３のいずれか１項に記載の電気泳動表示装置。
【請求項５】
外部からの操作入力に基づいて前記制御部に制御信号を出力する操作入力部を備えており、
前記省電力モードにおいて、
前記制御部は、前記制御信号が入力されてからの所定期間にのみ前記電気泳動表示部の表示を更新させることを特徴とする請求項１から３のいずれか１項に記載の電気泳動表示装置。
【請求項６】
前記省電力モードにおいて、
前記制御部は、前記電気泳動表示部の画像更新間隔を、前記環境温度が前記基準温度を超える場合の動作モードにおける画像更新間隔よりも長くすることを特徴とする請求項１に記載の電気泳動表示装置。
【請求項７】
前記省電力モードにおいて、
前記制御部は、前記電気泳動表示部に、前記環境温度が前記基準温度を超える場合の動作モードで用いられる画像成分を縮小した画像を表示させることを特徴とする請求項１に記載の電気泳動表示装置。
【請求項８】
前記制御部は、前記電気泳動表示部を前記省電力モードに移行させるに先立って、前記省電力モードに移行させる旨を報知するモード変更報知動作を実行することを特徴とする請求項１から７のいずれか１項に記載の電気泳動表示装置。
【請求項９】
前記モード変更報知動作は、前記電気泳動表示部に、モード変更を表示又は示唆する画像を表示させる動作であることを特徴とする請求項８に記載の電気泳動表示装置。
【請求項１０】
音を発生させる音源装置をさらに備えており、
前記モード変更報知動作は、モード変更を報知する報知音を前記音源装置から発生させる動作であることを特徴とする請求項８又は９に記載の電気泳動表示装置。
【請求項１１】
前記モード変更報知動作は、前記電気泳動表示部の少なくとも一部の表示の更新を停止させる動作を含むことを特徴とする請求項８から１０のいずれか１項に記載の電気泳動表示装置。
【請求項１２】
前記モード変更報知動作は、前記電気泳動表示部に表示されていた画像成分を縮小させて再表示する動作を含むことを特徴とする請求項８から１１のいずれか１項に記載の電気泳動表示装置。
【請求項１３】
請求項１から１２に記載の電気泳動表示装置を備えたことを特徴とする電子機器。
【発明の詳細な説明】
【技術分野】
【０００１】
本発明は、電気泳動表示装置及び電子機器に関するものである。
【背景技術】
【０００２】
電気泳動表示装置として、一対の基板間に設けられた空間に、帯電粒子（電気泳動粒子）と分散媒とからなる電気泳動素子を挟持した方式のものが知られている。特許文献１には、このような電気泳動表示装置の一種である電子ペーパーを時計に適用した画像書き換えシステムが記載されている。
【先行技術文献】
【特許文献】
【０００３】
【特許文献１】特開２００８−３９６９７号公報
【発明の概要】
【発明が解決しようとする課題】
【０００４】
電気泳動表示装置の特性として、特に低温環境（０℃付近）での使用において、基板や電気泳動シート等を貼り合わせる際に用いた接着剤の抵抗値が上がってしまい、常温環境（２５℃付近）での使用よりも電流が流れにくくなるという性質がある。このため、常温環境での使用時と同等の画像のコントランストを低温環境においても維持させようとすると、約４倍以上の駆動電力が必要となる。よって、低温環境での使用時は、極端に電池を消耗させてしまうという問題があった。
上記文献の記載の技術によれば、無通電で画像を表示保持することにより消費電力の増大を抑制することが可能であるが、環境温度についての言及はされていない。したがって、低温環境において消費電力が増大してしまうという問題は未だ解決されていない。
【０００５】
本発明は、上記従来技術の問題点に鑑み成されたものであって、低温環境における電力消費を抑えることが可能な電気泳動表示装置及び電子機器を提供することを目的の一つとしている。
【課題を解決するための手段】
【０００６】
本発明の電気泳動表示装置は、上記課題を解決するために、一対の基板間に電気泳動素子を挟持してなる電気泳動表示部と、温度測定部と、電気泳動表示部及び温度測定部を制御する制御部とを備えた電気泳動表示装置であって、制御部は、温度測定部により検出される環境温度が予め設定された基準温度以下である期間に、電気泳動表示部を省電力モードで動作させることを特徴とする。
【０００７】
本発明によれば、環境温度が予め設定された基準温度以下である期間に、電気泳動表示部を省電力モードで動作させることとしたので、低温環境下において駆動表示に必要となる消費電力の増加分を抑制することができる。これにより、省電力性に優れたものとすることができ、電池寿命を延命化させることが可能となる。
【０００８】
また、省電力モードにおいて、制御部は、電気泳動表示部の少なくとも一部の表示の更新を停止させることが好ましい。
本発明によれば、少ない動作で効果的に省電力を実現できる。
【０００９】
また、省電力モードにおいて、制御部は、電気泳動表示部の表示画像を消去させ、以降の表示の更新を停止させることが好ましい。
本発明によれば、省電力モードにおいて、電気泳動表示部の表示画像を消去するとともに、以降の表示の更新を停止させることとしたので、大幅な省電力化が可能となる。
【００１０】
また、外部からの操作入力に基づいて制御部に制御信号を出力する操作入力部を備えており、省電力モードにおいて、制御部は、制御信号が入力されている期間にのみ電気泳動表示部の表示を更新させることが好ましい。
本発明によれば、操作入力部からの制御信号が入力されている期間にのみ表示部を更新させることとしたので、ユーザーの希望に応じて画像を表示させることができる。
【００１１】
また、外部からの操作入力に基づいて制御部に制御信号を出力する操作入力部を備えており、省電力モードにおいて、制御部は、制御信号が入力されてからの所定期間にのみ電気泳動表示部の表示を更新させることが好ましい。
本発明によれば、制御信号が入力されてからの所定期間にのみ表示を更新させることとしたので、常時表示させている場合に比べて省電力化が可能となる。
【００１２】
本発明の電気泳動表示装置は、上記課題を解決するために、省電力モードにおいて、
制御部は、電気泳動表示部の画像更新間隔を、環境温度が基準温度を超える場合の動作モードにおける画像更新間隔よりも長くすることが好ましい。
本発明によれば、電気泳動表示部の画像更新間隔を、環境温度が基準温度を超える場合の動作モードにおける画像更新間隔よりも長くすることとしたので、画像の切替に必要となる電力の消費を抑えることができる。
【００１３】
また、省電力モードにおいて、制御部は、電気泳動表示部に、環境温度が基準温度を超える場合の動作モードで用いられる画像成分を縮小した画像を表示させることが好ましい。
本発明によれば、環境温度が基準温度を超える場合の動作モードで用いられる画像成分を縮小させることとしたので電力の消費が抑えられる。
【００１４】
また、制御部は、電気泳動表示部を省電力モードに移行させるに先立って、省電力モードに移行させる旨を報知するモード変更報知動作を実行することが好ましい。
本発明によれば、モード変更報知動作を実行することにより、省電力モードへ移行することをユーザーに認識させることができる。
【００１５】
また、モード変更報知動作は、電気泳動表示部に、モード変更を表示又は示唆する画像を表示させる動作であることが好ましい。
本発明によれば、モード変更報知動作は、電気泳動表示部にモード変更を表示又は示唆する画像を表示させることから、省電力モードへ移行することをユーザーは視認することが可能である。
【００１６】
また、音を発生させる音源装置をさらに備えており、モード変更報知動作は、モード変更を報知する報知音を音源装置から発生させる動作であることが好ましい。
本発明によれば、モード変更報知動作は、電気泳動表示分にモード変更を報知する報知音を音源装置から発生させる動作であることから、ユーザーが表示部を確認することができない場合であっても確実に知らせることができる。
【００１７】
また、モード変更報知動作は、電気泳動表示部の少なくとも一部の表示の更新を停止させる動作を含むことが好ましい。
本発明によれば、モード変更報知動作は、電気泳動表示部の少なくとも一部の表示の更新を停止させる動作を含むことから、表示の更新に必要な電力の消費を抑えることができる。
【００１８】
また、モード変更報知動作は、電気泳動表示部に表示されていた画像成分を縮小させて再表示する動作を含むことが好ましい。
本発明によれば、モード変更報知動作は、電気泳動表示部に表示されていた画像成分を縮小させて再表示する動作を含むことから、表示に必要な電力の消費を抑えることができる。
【００１９】
本発明の電子機器は、先に記載の電気泳動表示装置を備えていることを特徴とする。
本発明によれば、低温環境における駆動表示に必要となる消費電力の増加分を抑えることのできる表示手段を具備しているので、省電力で長期駆動が可能な信頼性の高い電子機器を提供することができる。
【００２０】
本発明の電気泳動表示装置の駆動方法は、一対の基板間に電気泳動素子を挟持してなる電気泳動表示部と、温度測定部とを備えた電気泳動表示装置の駆動方法であって、前記温度測定部により環境温度を検出するステップと、検出された前記環境温度に基づいて前記電気泳動表示部の動作モードを切り換えるステップとを有し、検出された前記環境温度が予め設定された基準温度以下である期間に、前記電気泳動表示部を省電力モードで動作させることを特徴とする。
【００２１】
また、上記の電気泳動表示装置の駆動方法においては、以下の駆動方法とすることも好ましい。
【００２２】
また、前記省電力モードにおいて、前記電気泳動表示部の少なくとも一部の表示の更新を停止させることが好ましい。
【００２３】
また、前記省電力モードにおいて、前記電気泳動表示部の表示画像を消去させ、以降の表示の更新を停止させることも好ましい。
【００２４】
また、外部からの操作入力に基づいて前記制御部に制御信号を出力する操作入力部を備えている場合に、前記省電力モードにおいて、前記制御信号が入力されている期間にのみ前記電気泳動表示部の表示を更新させることも好ましい。
【００２５】
また、外部からの操作入力に基づいて前記制御部に制御信号を出力する操作入力部をさらに備えている場合に、前記省電力モードにおいて、前記制御信号が入力されてからの所定期間にのみ前記電気泳動表示部の表示を更新させることも好ましい。
【００２６】
また、前記省電力モードにおいて、前記電気泳動表示部の画像更新間隔を、前記環境温度が前記基準温度を超える場合の動作モードにおける画像更新間隔よりも長くすることも好ましい。
【００２７】
また、前記省電力モードにおいて、前記電気泳動表示部に、前記環境温度が前記基準温度を超える場合の動作モードで用いられる画像成分を縮小した画像を表示させることも好ましい。
【００２８】
また、前記電気泳動表示部を前記省電力モードに移行させるに先立って、前記省電力モードに移行させる旨を報知するモード変更報知ステップを有することが好ましい。
【００２９】
また、前記モード変更報知ステップは、前記電気泳動表示部に、モード変更を表示又は示唆する画像を表示させるステップであることが好ましい。
【００３０】
また、音を発生させる音源装置をさらに備えており、前記モード変更報知ステップは、モード変更を報知する報知音を前記音源装置から発生させるステップであることも好ましい。
【００３１】
また、前記モード変更報知ステップは、前記電気泳動表示部の少なくとも一部の表示の更新を停止させるステップを含むことも好ましい。
【００３２】
また、前記モード変更報知ステップは、前記電気泳動表示部に表示されていた画像成分を縮小させて再表示するステップを含むことも好ましい。
【００３３】
本発明の電子機器は、先に記載の電気泳動表示装置を備えたことを特徴とする。
この構成によれば、低温環境における電力消費を抑えることができる表示手段を具備した電子機器を提供することができる。
【図面の簡単な説明】
【００３４】
【図１】本実施形態に係る電気泳動表示装置の概略構成図。
【図２】電気泳動表示装置の断面構造とともに電気的構成を示した図。
【図３】電気泳動表示装置の動作説明図。
【図４】電気泳動表示装置の機能ブロック図。
【図５】本発明の駆動方法を示すフローチャート。
【図６】本発明の駆動方法の説明図。
【図７】温度帯別の画像コントラスト（濃度・反射率）を示したグラフ。
【図８】温度帯別の画像コントラスト（白黒）を示したグラフ。
【図９】電子機器の一例を示す図。
【図１０】電子機器の一例を示す図。
【図１１】電子機器の一例を示す図。
【発明を実施するための形態】
【００３５】
以下、図面を用いて本発明の電気泳動表示装置及びその駆動方法について説明する。
なお、本実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００３６】
図１は、本発明の実施の形態に係る電気泳動表示装置１００の概略構成図である。図２（ａ）は、電気泳動表示装置１００の断面構造とともに電気的構成を示した図である。
電気泳動表示装置１００は、複数の画素（セグメント）４０が配置された表示部５と、コントローラー（制御部）６３と、コントローラー６３と接続された画素電極駆動回路６０とを備えている。画素電極駆動回路６０は、それぞれの画素４０と画素電極配線６１を介して接続されている。また、表示部５には、各々の画素４０に共通の共通電極３７（図２参照）が設けられている。なお、図１では共通電極３７を便宜的に配線として表示している。
【００３７】
電気泳動表示装置１００は、コントローラー６３から画素電極駆動回路６０に画像データを転送し、かかる画像データに基づく電位を、個々の画素４０に直接入力するセグメント駆動方式の電気泳動表示装置である。
【００３８】
図２（ａ）に示すように、電気泳動表示装置１００の表示部５は、第１基板３０と第２基板３１との間に、電気泳動素子３２を挟持した構成である。第１基板３０の電気泳動素子３２側に複数の画素電極（セグメント電極；第１電極）３５が形成され、第２基板３１の電気泳動素子３２側には共通電極（第２電極）３７が形成されている。電気泳動素子３２は、電気泳動粒子を内部に封入した複数のマイクロカプセル２０を平面的に配列した構成である。電気泳動表示装置１００は、電気泳動素子３２により形成された画像を共通電極３７側に表示する。
【００３９】
第１基板３０は、ガラスやプラスチック等からなる基板であり、画像表示面とは反対側に配置されるため透明なものでなくてもよい。画素電極３５は、Ｃｕ（銅）箔上にニッケルメッキと金メッキとをこの順番で積層したものや、Ａｌ（アルミニウム）、ＩＴＯ（インジウム・スズ酸化物）などを用いて形成される。
一方、第２基板３１はガラスやプラスチック等からなる基板であり、画像表示側に配置されるため透明基板とされる。共通電極３７は、ＭｇＡｇ（マグネシウム銀）、ＩＴＯ、ＩＺＯ（登録商標；インジウム・亜鉛酸化物）などを用いて形成される透明電極である。
【００４０】
各々の画素電極３５には、画素電極配線６１を介して画素電極駆動回路６０が接続されている。画素電極駆動回路６０には、各々の画素電極配線６１に対応するスイッチング素子６０ｓが設けられており、スイッチング素子６０ｓの動作により画素電極３５に対する電位の入力と電気的切断（ハイインピーダンス化）を行う。
【００４１】
一方、共通電極３７には、共通電極配線６２を介して共通電極駆動回路６４が接続されている。共通電極駆動回路６４には、共通電極配線６２と接続されたスイッチング素子６４ｓが設けられており、スイッチング素子６４ｓの動作により共通電極３７に対する電位の入力と電気的切断（ハイインピーダンス化）を行う。
【００４２】
なお、電気泳動素子３２は、あらかじめ第２基板３１側に形成され、接着剤層３３までを含めた電気泳動シートとして取り扱われるのが一般的である。製造工程において、電気泳動シートは接着剤層３３の表面に保護用の剥離シートが貼り付けられた状態で取り扱われる。そして、別途製造された第１基板３０（画素電極３５などが形成されている）に対して、剥離シートを剥がした当該電気泳動シートを貼り付けることによって、表示部５を形成する。このため、接着剤層３３は画素電極３５側のみに存在することになる。
【００４３】
図２（ｂ）は、マイクロカプセル２０の模式断面図である。マイクロカプセル２０は、例えば３０〜５０μｍ程度の粒径を有しており、内部に分散媒２１と、複数の白色粒子（電気泳動粒子）２７と、複数の黒色粒子（電気泳動粒子）２６とを封入した球状体である。マイクロカプセル２０は、図２に示したように共通電極３７と画素電極３５との間に挟持され、１つの画素４０内に１つ又は複数のマイクロカプセル２０が配置される。
【００４４】
マイクロカプセル２０の外殻部（壁膜）は、ポリメタクリル酸メチル、ポリメタクリル酸エチルなどのアクリル樹脂、ユリア樹脂、アラビアガムなどの透光性を持つ高分子樹脂などを用いて形成される。
分散媒２１は、白色粒子２７と黒色粒子２６とをマイクロカプセル２０内に分散させる液体である。分散媒２１としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００４５】
白色粒子２７は、例えば、二酸化チタン、亜鉛華、三酸化アンチモン等の白色顔料からなる粒子（高分子あるいはコロイド）であり、例えば負に帯電されて用いられる。黒色粒子２６は、例えば、アニリンブラック、カーボンブラック等の黒色顔料からなる粒子（高分子あるいはコロイド）であり、例えば正に帯電されて用いられる。
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、黒色粒子２６及び白色粒子２７に代えて、例えば赤色、緑色、青色などの顔料を用いてもよい。かかる構成によれば、表示部５に赤色、緑色、青色などを表示することができる。
【００４６】
図３は、電気泳動素子の動作説明図である。図３（ａ）は、画素４０を白表示する場合、図３（ｂ）は、画素４０を黒表示する場合をそれぞれ示している。
図３（ａ）に示す白表示の場合には、共通電極３７が相対的に高電位、画素電極３５が相対的に低電位に保持される。これにより、負に帯電した白色粒子２７が共通電極３７に引き寄せられる一方、正に帯電した黒色粒子２６が画素電極３５に引き寄せられる。その結果、表示面側となる共通電極３７側からこの画素を見ると、白色（Ｗ）が認識される。
図３（ｂ）に示す黒表示の場合、共通電極３７が相対的に低電位、画素電極３５が相対的に高電位に保持される。これにより、正に帯電した黒色粒子２６が共通電極３７に引き寄せられる一方、負に帯電した白色粒子２７が画素電極３５に引き寄せられる。その結果、共通電極３７側からこの画素を見ると黒色（Ｂ）が認識される。
【００４７】
図４は、電気泳動表示装置１００の機能ブロック図である。
電気泳動表示装置１００は、図４に示すように、コントローラー６３と、温度センサー６５と、操作入力部６６と、インターフェース６７と、電源６８と、駆動回路６９と、音源装置７４と、を備えている。駆動回路６９は、図１及び図２に示した画素電極駆動回路６０と共通電極駆動回路６４とを含み、表示部５と接続されている。
【００４８】
コントローラー６３は、制御回路７０と、メモリー７１と、タイマー７２と、表示書換回路７３とを備えている。
制御回路７０は、電気泳動表示装置１００におけるＣＰＵ（Central Processing Unit）であり、電気泳動表示装置１００の各部の動作を総合的に制御する。制御回路７０は、コントローラー６３の内部でメモリー７１、タイマー７２及び表示書換回路７３と接続されている。さらに制御回路７０には、コントローラー６３の外部に設けられた温度センサー６５（温度測定部）、操作入力部６６、インターフェース６７、及び電源６８が接続されている。
【００４９】
メモリー７１は、揮発性メモリーであっても不揮発性メモリーであってもよい。揮発性メモリーとしては、例えばＳＲＡＭ（Static Random Access Memory）やＤＲＡＭ（Dynamic Random Access Memory）などを用いることができる。不揮発性メモリーとしては、例えばマスクＲＯＭ（Read Only Memory）や、フラッシュメモリー、ＦｅＲＡＭ（Ferroelectric Random Access Memory）などを用いることができる。
【００５０】
メモリー７１には、電源オン、オフ時における表示画像パターンなどを定めた所定の画像データや、温度情報と動作モードとの対応関係を規定したＬＵＴ(Look up Table)、表示部５を駆動制御するプログラムなどが記憶されている。また、温度センサー６５を用いて取得した温度情報や動作時間情報などを保持するワーキングメモリーとしても機能する。
【００５１】
タイマー７２は、独立に、あるいは制御回路７０の制御下で、所望の時間計測を実行する。タイマー７２の構成は特に限定されず、コントローラー６３に内蔵可能な形態のほか、温度センサー６５と同様に独立の装置として搭載されていてもよい。
【００５２】
表示書換回路７３は、インターフェース６７を介して制御回路７０に入力され、制御回路７０から送信された画像データを表示部５の画素４０に表示可能な画像データに変換する。表示書換回路７３において変換された画像データには、各々の画素４０に対応する表示色情報が含まれている。表示書換回路７３で生成された画像データは、駆動回路６９（画素電極駆動回路６０、共通電極駆動回路６４）に送信される。
【００５３】
温度センサー６５は、温度に応じて抵抗値や容量値などの電気量が変化するセンサーであり、検出した温度を制御回路７０に対して送信する。温度センサー６５としては、例えばサーミスターや熱電対などを用いることができる。温度センサー６５から制御回路７０に入力される信号はアナログ検出信号であるから、このアナログ検出信号を符号化された温度情報としてのデータにＡＤ変換するＡＤコンバータを、コントローラー６３又は制御回路７０に内蔵していることが好ましい。
【００５４】
温度センサー６５は、電気泳動表示装置１００に１個又は複数個備えられ、図１及び図２に示した表示部５の温度を測定可能な位置に設けられる。
例えば、図２（ａ）に示した第１基板３０の背面に温度センサー６５を取り付けることができる。また、表示部５の平面積が大きい場合などには、表示部５の中央付近と周縁部の２ヶ所以上に温度センサー６５を取り付けてもよい。複数の温度センサー６５を取り付ける場合に制御回路７０で取得する温度情報としては、複数の温度センサー６５で測定された複数の温度の単純平均値又は加重平均値であってもよいし、複数の温度の最高値であってもよい。
【００５５】
音源装置７４は、スピーカーなどを備えてなり、温度センサー６５によって検出された温度に応じて、表示部５を省電力モードへ移行する旨をユーザーに報知するための報知音を発生させる。報知に用いる音色の種類は一種類であってもいいし、複数種類用いることによって検出温度の変化をユーザーに報知するようにしてもよい。例えば、通常モードへ復帰する場合には別の報知音を発生させてもよい。
【００５６】
操作入力部６６は、ユーザーによる動作指示が入力される電気泳動表示装置１００のユーザーインターフェースである。
インターフェース６７は、電気泳動表示装置１００と外部装置（図示略）との接続装置であり、外部装置から入力される画像データや命令を制御回路７０に転送するとともに、制御回路７０から出力される応答信号等を外部装置に転送する。
電源６８は、電気泳動表示装置１００に電力を供給する電池や、外部電源と接続された電源回路である。
駆動回路６９は、表示書換回路７３から入力された画像データに基づいて、各々の画素４０に画像信号を入力する。これにより、各々の画素４０の電気泳動素子３２が駆動され、画像データに規定された画像が表示部５に表示される。
【００５７】
［駆動方法］
次に、上記構成を備えた電気泳動表示装置の駆動方法について説明する。
図５は、本実施形態の駆動方法を示すフローチャートである。図６は、本実施形態の駆動方法における表示部５の状態遷移を示す説明図である。
【００５８】
図５に示すように、本実施形態の駆動方法は、温度検出ステップＳＴ１０と、検出温度判定ステップＳＴ１１と、モード変更報知ステップＳＴ１２と、省電力モード移行ステップＳＴ１３と、通常モード移行ステップＳＴ１４と、を含む。
【００５９】
図６に示す第１領域Ａ１は、黒表示の文字画像が表示される領域に対応し、第２領域Ａ２は、白表示の背景画像が表示される領域に対応する。また、第３領域３Ａは、黒表示の報知内容が表示される領域に対応する。
【００６０】
制御回路７０は、図６（ａ）に示す表示部５の第１領域Ａ１及び第２領域Ａ２に任意の画像を表示させる。例えば、第１領域Ａ１に黒表示の時刻「１２：００」を表示させ、第２領域Ａ２に白表示の背景画像を表示させる。
このとき制御回路７０は、表示書換回路７３に、時刻「１２：００」に対応する画像データを転送する。表示書換回路７３は、駆動回路６９に制御信号と変換された画像データとを順次転送する。そして、駆動回路６９により各々の画素４０の画素電極３５に画像データに対応する電位が入力される。
【００６１】
次に、温度検出ステップＳＴ１０において、制御回路７０は、温度センサー６５からの出力から温度情報を取得し、現在の環境温度（表示部５の温度）として保持するとともに、メモリー７１に設けられた環境温度用の記憶領域（図示略）に記憶させる。その後、検出温度判定ステップＳＴ１１に移行する。
【００６２】
次に、検出温度判定ステップＳＴ１１では、制御回路７０において、温度センサー６５による検出温度と予め設定しておいた基準温度（０℃）とが比較される。詳しくは後述するが、基準温度は０℃〜１０℃の範囲内で設定される。検出温度と基準温度を比較した結果、検出温度が基準温度以下であれば、モード変更報知ステップＳＴ１２が選択され、検出温度が基準温度以上であれば、通常モード移行ステップＳＴ１４へ移り、環境温度の監視動作が続行される。
【００６３】
図７は、同一駆動同一パルス（パルス電位）を使用した場合における温度帯別の画像濃度・反射率を示したグラフであり、図８は、温度帯別の画像コントラスト（白黒）を示したグラフである。
通常、環境温度が低いほど表示画像のコントラストが悪くなり、視認性が低下してしまう。一般的に、白表示は反射率が高いほど濃度が高くなり、黒表示は反射率が低いほど濃度が高くなるため、コントラストが高く視認性が良好となる。ところが、図７および以下の表１に示すように環境温度が１０℃を下回ると急激に白表示の反射率が低下するとともに黒表示の反射率が高まり、画像全体のコントラストが低下している（図８）。０℃以下になるとさらに低下している。これは、環境温度が低下することで粒子の動きが鈍くなったことによる。このように、同一の駆動パルスを印加した場合には、環境温度に応じてコントラストが変動してしまう。
よって、本実施形態では基準温度を０℃に設定している。なお、環境温度が１０℃を下回ったときからコントラストが急激に低下し始めることから、基準温度を１０℃に設定する方が望ましい。
【００６４】
【表１】
2011013466.tif 000003
【００６５】
コントラストを一定に保持するためには、環境温度の変動に応じて電気泳動素子に入力するパルス電位を変動させる必要がある。例えば、環境温度が低下した場合には、このパルス電位を高めることで一定のコントラストを確保することが可能となる。ところが、低温ではパルス電圧を著しく大きくする必要があり、消費電力の増加が激しく、電池負担が大きいという問題が生じてくる。そこで、低温環境において使用する際には、省電力モードへと移行させ、通常モードに比べて表示制限を加えることで電力の消費を抑えることとした。
【００６６】
モード変更報知ステップＳＴ１２において、制御回路７０は、省電力モードに移行させる旨をユーザーに報知するためのモード変更報知動作を実行する。モード変更報知動作は、モード変更を表示又は示唆する画像を表示部５に表示させたり、報知音を音源装置７４から発生させる動作である。
【００６７】
報知表示を行う場合、制御回路７０は、図６（ａ）に示すように表示部５の第３領域Ａ３にモードを変更する旨を報知するための報知表示として、例えば「TOO COLD!」などのようなメッセージを表示させる。なお、表示内容はこれに限らない。また、報知音の音色や音量はユーザーの注意を引くようなものが好ましい。
そして、このような報知動作を所定時間実施した後、省電力モード移行ステップＳＴ１３へと移る。
なお、本ステップにおいては、報知表示および報知音の両方を実施するとしたが、報知表示あるいは報知音のいずれか一方のみを実施してもよい。
【００６８】
省電力モード移行ステップＳＴ１３では、表示モードを通常モードから省電力モードへと移行させる。省電力モードに移行すると、表２に示すような第１〜第３表示設定のいずれかが実行される。
【００６９】
【表２】
2011013466.tif 000004
【００７０】
第１表示設定の場合、制御回路７０は、報知表示および時刻などを含め、表示部５に表示されていた表示画像の全てを消去する（図６（ａ））。そして、省電力モード中、操作入力部６６からの信号入力が検出されると、その信号が入力されている期間に限り、消去していた表示画像の一部である時刻を表示部５に表示させる動作が実行される（図６（ｂ））。そして、操作入力部６からの信号入力がなくなると時刻表示を消去する。
【００７１】
第２表示設定の場合、制御回路７０は、上記同様に表示部５に表示されていた表示画像の全てを消去する（図６（ａ））。そして、操作入力部６６からの信号入力が検出されると消去していた表示画像の一部である時刻表示のみを表示部５に表示させ（図６（ｂ））、タイマー７２によりその表示時間の計測を開始する。そして、入力信号が検出されてから所定時間が経過するとタイマー７２による計測を終了し、表示していた時刻表示を再び消去する。このように、操作入力部６６からの信号入力が検出されてから所定時間が経過するまでの間に限り、消去した表示画像を表示する。
【００７２】
第３表示設定の場合、制御回路７０は、表示部５に表示されていた表示画像の一部（背景画像）を消去するとともに文字画像の更新を停止させる。そして、予め設定された文字画像の更新時間をタイマー７２により計測し、所定時間ごとに文字画像を更新させる。例えば、通常モード中は１分おきに時刻表示を更新させていたところ、省電力モード移行後は５分おき、あるいは１０分おきに時刻表示を更新させるようにしてもよい。
【００７３】
なお、上記した各表示設定において、図６（ｃ）に示すように、通常モードで用いられる画像成分を縮小した画像を表示させても良い。
【００７４】
その後は、ステップＳＴ１０〜ステップＳＴ１３が繰り返され、環境温度が基準温度以上になるまで省電力モードが実行される。なお、モード変更報知動作は、通常モードから省電力モードへ移行する最初の段階においてのみ実施させるようにしてもよいし、省電力モード中、定期的に実行するようにしてもよい。
【００７５】
以上に説明した本実施形態の電気泳動表示装置１００では、温度センサー６５によって検出される環境温度に応じて表示モードの切替を実施している。つまり、温度センサー６５によって検出される環境温度が基準温度（０℃）を下回った場合に、通常モードから省電力モードへと移行させて表示部５に表示させる画像の表示制限を加えている。これにより、低温環境において画質を維持するために必要となる消費電力の増加分を抑えることが可能となり、電池への負担を軽減させることができる。したがって、省電力性に優れ、電池寿命を延命化させることが可能となる。
【００７６】
また、省電力モードにおいては、第１表示設定の場合、ユーザーが操作入力部６６を操作している期間に限り時刻を表示させることとした。つまり、ユーザーが時刻を確認したい場合には操作入力部６６を操作することで表示部５に時刻が表示される。
【００７７】
また、省電力モードでは、ユーザーが視認することができれば上記した第１〜第３表示設定以外の表示制限を実施してもよく、例えば、時刻表示の時分を区切るコロン「：」の点滅を停止させるなど、表示画像の少なくとも一部の画像更新を停止させてもよい。これにより、表示画像の全てを消去させる必要がないことから、同一画像を表示し続ける用途に好適に用いることができる。したがって、ユーザーにストレスを与えることなく消費電力を抑えることが可能である。
また、省電力モードでは、表示部５の表示画像を消去させ、以降の表示の更新を停止させてもよい。これにより、大幅な消費電力が見込める。
【００７８】
また、本実施形態では省電力モード移行ステップＳＴ１３へ移る前に、モード変更報知ステップＳＴ１２において、省電力モードへ移行する旨を報知する報知動作が実行されるようなっている。これにより、通常モード時における表示方法と異なっていたとしても、装置の故障などの誤解を招くことを防止できる。
【００７９】
また、モード変更報知ステップＳＴ１２において、報知表示だけでなく報知音を発生させることとしたので、ユーザーが表示部５を確認することができない状況であっても、モード変更を確実に知らせることができる。
【００８０】
また、モード変更報知ステップＳＴ１２において、例えば表示部５の少なくとも一部の表示の更新を停止させたり、表示部５に表示されていた画像成分を縮小させて再表示を行うようにしてもよい（図６（ｃ））。
【００８１】
なお、本実施形態では、セグメント方式の電気泳動表示装置を例示して説明したが、本発明に係る駆動方法は、アクティブマトリクス方式の電気泳動表示装置にも好適に用いることができる。すなわち、本発明に係る電気泳動表示装置は、画素ごとにラッチ回路が設けられたＳＲＡＭ（Static Random Access Memory）方式の電気泳動表示装置とすることもでき、画素ごとに選択トランジスタとキャパシタを備えたＤＲＡＭ（Dynamic Random Access Memory）方式の電気泳動表示装置とすることもできる。
【００８２】
（電子機器）
次に、上記実施形態の電気泳動表示装置１００を、電子機器に適用した場合について説明する。
図９は、腕時計１０００の正面図である。腕時計１０００は、時計ケース１００２と、時計ケース１００２に連結された一対のバンド１００３とを備えている。
時計ケース１００２の正面には、上記各実施形態の電気泳動表示装置１００からなる表示部１００５と、秒針１０２１と、分針１０２２と、時針１０２３とが設けられている。
時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【００８３】
図１０は電子ペーパー１１００の構成を示す斜視図である。電子ペーパー１１００は、上記実施形態の電気泳動表示装置１００を表示領域１１０１に備えている。電子ペーパー１１００は可撓性を有し、従来の紙と同様の質感及び柔軟性を有する書き換え可能なシートからなる本体１１０２を備えて構成されている。
【００８４】
図１１は、電子ノート１２００の構成を示す斜視図である。電子ノート１２００は、上記の電子ペーパー１１００が複数枚束ねられ、カバー１２０１に挟まれているものである。
カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００８５】
以上の腕時計１０００、電子ペーパー１１００、及び電子ノート１２００によれば、本発明に係る電気泳動表示装置１００が採用されているので、長期間にわたって表示品質を維持することができる信頼性に優れた表示部を備えた電子機器となる。
【００８６】
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置は好適に用いることができる。
【符号の説明】
【００８７】
１００…電気泳動表示装置、５…表示部（電気泳動表示部）、３０…第１基板、３１…第２基板、３２…電気泳動素子、６３…コントローラー（制御部）、６５…温度センサー（温度測定部）、６６…操作入力部、７４…音源装置
【図１】
2011013466.tif 000005
【図２】
2011013466.tif 000006
【図３】
2011013466.tif 000007
【図４】
2011013466.tif 000008
【図５】
2011013466.tif 000009
【図６】
2011013466.tif 000010
【図７】
2011013466.tif 000011
【図８】
2011013466.tif 000012
【図９】
2011013466.tif 000013
【図１０】
2011013466.tif 000014
【図１１】
2011013466.tif 000015